(57)【要約】【課題】液漏れ防止効果に優れ、生産性の向上をも図ることのできる吸収性物品及びその製造方法を提供すること。【解決手段】本発明に係る吸収性物品は、不透水性の開口シート２、吸収パッド３及び不透水性の非開口シート４が溶着又は接着によりこの順に積層された状態で一体化された積層体を具備し、前記開口シート２は、前記吸収パッド３の周縁部を除いた部分を露出させる開口１を有する。本発明に係る吸収性物品の製造方法は、前記開口シート２、前記吸収パッド３及び前記非開口シート４を溶着又は接着により一体化する。【選択図】図１
2019217077.tif 000002
【特許請求の範囲】
【請求項１】
不透水性の開口シート、吸収パッド及び不透水性の非開口シートが溶着又は接着によりこの順に積層された状態で一体化された積層体を具備し、前記開口シートは、前記吸収パッドの周縁部を除いた部分を露出させる開口を有する吸収性物品。
【請求項２】
請求項１に記載の吸収性物品の製造方法であって、前記開口シート、前記吸収パッド及び前記非開口シートを溶着又は接着により一体化する吸収性物品の製造方法。
【発明の詳細な説明】
【技術分野】
【０００１】
本発明は、例えば、失禁用パンツや生理用ナプキン等として利用可能な吸収性物品及びその製造方法に関する。
【背景技術】
【０００２】
従来の吸収性物品として、吸収パッドを不透水性シートで覆うにあたり、吸収パッドと不透水性シートを縫製糸で縫い合わせた失禁用パンツが知られている。
【発明の概要】
【発明が解決しようとする課題】
【０００３】
しかし、上記吸収性物品では、吸収パッドに吸収した尿等の体液が、縫い合わせた部分（針穴部分）より漏れ出し、パンツ自体や外衣を濡らしてしまう恐れがある。
【０００４】
本発明は上述の事柄に留意してなされたもので、その目的は、液漏れ防止効果に優れ、生産性の向上をも図ることのできる吸収性物品及びその製造方法を提供することにある。
【課題を解決するための手段】
【０００５】
上記目的を達成するために、本発明に係る吸収性物品は、不透水性の開口シート、吸収パッド及び不透水性の非開口シートが溶着又は接着によりこの順に積層された状態で一体化された積層体を具備し、前記開口シートは、前記吸収パッドの周縁部を除いた部分を露出させる開口を有する（請求項１）。
【０００６】
一方、上記目的を達成するために、本発明に係る吸収性物品の製造方法は、請求項１に記載の吸収性物品の製造方法であって、前記開口シート、前記吸収パッド及び前記非開口シートを溶着又は接着により一体化する（請求項２）。
【発明の効果】
【０００７】
本願発明では、液漏れ防止効果に優れ、生産性の向上をも図ることのできる吸収性物品及びその製造方法が得られる。
【０００８】
すなわち、本願の各請求項に係る発明の吸収性物品は、吸収パッド自体やその付近に縫い合わせ部分（針穴部分）が形成されないようにすることができるものであるので、こうした縫い合わせ部分が形成される従来の吸収性物品に比べ、液漏れ防止効果に優れたものとなり、縫い合わせする部分を少なくすることにより、生産性の向上をも図ることができる。
【図面の簡単な説明】
【０００９】
【図１】本発明の一実施の形態に係る吸収性物品の構成を概略的に示す分解斜視図である。
【図２】前記吸収性物品の構成を概略的に示す平面図である。
【図３】前記吸収性物品の構成を概略的に示す底面図である。
【図４】前記吸収性物品の吸収パッドの構成を概略的に示す説明図である。
【図５】前記吸収性物品の変形例の構成を概略的に示す説明図である。
【発明を実施するための形態】
【００１０】
本発明の実施の形態について図面を参照しながら以下に説明する。
【００１１】
図１〜図３に示す吸収性物品は、生理用ナプキンであり、図１に示すように、オーバル（角丸長方形：二つの等しい長さの平行線と二つの半円形からなる形）状の開口１を有する不透水性の開口シート２と、開口１より一回り大きいオーバル状の吸収パッド３と、不透水性の非開口シート４とを有する。これらの部材２〜４は、溶着（熱圧着）により無縫製で一体化されて積層体となり、吸収パッド３の周縁部（例えば外周端から中央に向かって８〜１０ｍｍ程度の幅部分）を除いた部分（中央部）は開口１から露出することになる。すなわち、積層体において、開口シート２、吸収パッド３及び非開口シート４は、相互に接触する部分において各々溶着している。なお、溶着の条件（温度、加圧時間等）は、各部材２〜４が固くならず、洗濯に強い、といった必要な性質を持たせることのできる範囲で適宜に設定すればよい。
【００１２】
ここで、開口シート２と非開口シート４とは同一形状であり、例えば非開口シート４から開口１に相当する部分を切り抜いた形状のものが開口シート２の形状になるように構成されている。本例では、開口シート２の左右には半円弧状の突出部分２ａが設けられ、非開口シート４の左右には半円弧状の突出部分４ａが設けられている。そして、これらの不透水性のシート２，４は、上記のように溶着することができるように構成されていればよく、例えばナイロン基布やポリエステル基布など（いずれも非熱可塑性層の一例）に熱可塑性樹脂フィルム（熱可塑性層の一例）をラミネートしたものをシート２，４として用いることができる。
【００１３】
上記のように形成される積層体（部材２〜４）の非開口シート４側には、その全面を覆う表生地５が配され、積層体及び表生地５は、両者の外縁を挟み込む短冊状布６とともに、その外縁において相互に全周にわたって縫着される（図２、図３参照）。なお、表生地５は非開口シート４と略同一形状である。
【００１４】
図４に示す吸収パッド３は、上側（地肌に接する側）から下側に向かって第一層Ｌ１〜第六層Ｌ６が積層した６層構造を有する。ここで、第一層Ｌ１は、ポリエステルシート（ポリエステル製のシート）、第二層Ｌ２及び第五層Ｌ５はポリエステルメッシュ（ポリエステル繊維からなるメッシュ編地）、第三層Ｌ３、第四層Ｌ４及び第六層Ｌ６は不織布（例えばレーヨン繊維で構成された不織布、あるいはレーヨン繊維とアクリル繊維とを混合した不織布）であり、これらの６層はキルティング加工により一体化される。この縫着線（縫着糸）７は、吸収パッド３の中央を長手方向に延びる中央ライン７ａと、吸収パッド３の外周縁に沿って延びる外周ライン７ｂと、外周ライン７ｂに沿ってその内側に延びる内周ライン７ｃとによって構成されている。
【００１５】
なお、図１に示すように、開口シート２の突出部分２ａに布片８が縫着され、この布片８にはスナップボタン９が設けられている。また、非開口シート４の突出部分４ａに布片１０が縫着され、この布片１０にはスナップボタン９に対応する二つのスナップボタン１１が設けられている。
【００１６】
上記のように構成される吸収性物品は、例えば開口１が内側を向くように下着の股部に装着され、開口１から露出する吸収パッド３に尿等の体液が吸収されるのであるが、吸収パッド３自体やその付近に縫い合わせ部分（針穴部分）が形成されないようにすることができるので、こうした縫い合わせ部分が形成される従来の吸収性物品に比べ、液漏れ防止効果に優れたものとなり、着用者は安心して使用することができ、洗濯して繰り返し使用することも可能である。また、本例の吸収性物品は、縫い合わせする部分を少なくしてあることにより、生産性の向上をも図ることができる。
【００１７】
さらに、キルティング加工の縫着線７として、吸収パッド３の長手方向に延び、その前端及び後端にまで至るものを中央ライン７ａのみとしたことにより、こうしたラインを複数有するものに比べ、着座時等に吸収パッド３に吸収された液等の漏れだしが生じ難くなり、この点でも液漏れ防止効果が高まることになる。
【００１８】
なお、本発明は、上記の実施の形態に何ら限定されず、本発明の要旨を逸脱しない範囲において種々に変形して実施し得ることは勿論である。例えば、以下のような変形例を挙げることができる。
【００１９】
上記実施の形態では、開口シート２、吸収パッド３及び非開口シート４を溶着によって一体化しているが、これに限らず、例えば接着剤を用いた接着（粘着も含む）等により一体化するようにしてもよい。
【００２０】
また、上記実施の形態では、吸収性物品を生理用ナプキンとして構成した例を示しているが、これに限らず、例えば失禁用パンツとして構成してもよい。この場合、図５に示すように、失禁用パンツの表布１２の内側（裏側）に、開口シート２、吸収パッド３及び非開口シート４を一体化した積層体を、開口シート２が地肌側にくるように縫着等によって装着すればよい。
【００２１】
上記実施の形態では、吸収パッド３を図４に示す６層構造としているが、この吸収パッド３の構成は適宜に変更可能であり、例えば第三層Ｌ３、第四層Ｌ４の不織布の厚みを増減したり、用いる不織布の枚数を増減したりすることにより、想定する体液の吸収量の調節が可能である。
【００２２】
なお、上記変形例どうしを適宜組み合わせてもよいことはいうまでもない。
【符号の説明】
【００２３】
１    開口
２    開口シート
２ａ  突出部分
３    吸収パッド
４    非開口シート
４ａ  突出部分
５    表生地
６    短冊状布
７ａ  中央ライン
７ｂ  外周ライン
７ｃ  内周ライン
８    布片
９    スナップボタン
１０    布片
１１    スナップボタン
１２    表布
Ｌ１  第一層
Ｌ２  第二層
Ｌ３  第三層
Ｌ４  第四層
Ｌ５  第五層
Ｌ６  第六層
【図１】
2019217077.tif 000003
【図２】
2019217077.tif 000004
【図３】
2019217077.tif 000005
【図４】
2019217077.tif 000006
【図５】
2019217077.tif 000007